(57)【要約】【課題】セパレータに塵埃が付着することを防止し、セパレータが円滑に回らなくなったり、ロックしたりすることを防止し、使いやすい電気掃除機として提供する。【解決手段】含塵エアから塵埃を除去するための水を貯溜するウォーターパン１２と、ウォーターパンに脱着自在に装着されるケーシング部の内部に、含塵エアを吸引するとともにセパレータ４０によって水が分離されたエアを外部に排気するための主ファン４９、およびモータが設けられた吸引部１４とを有する掃除機本体を備えた電気掃除機において、前記セパレータ４０が、周方向にスリット間隔をあけて多数本のリブが設けられた有底の篭状に形成され、該セパレータ４０の開口部に、前記セパレータと一体回転すべく前記モータシャフト４４に固定して装着され、前記セパレータとともに回転してセパレータの外面に向けて下向きに噴射エアを噴出する逆噴射フィン４２が設けられている。【選択図】          図２
2004180941.tif 000002
【特許請求の範囲】
【請求項１】
含塵エアから塵埃を除去するための水を貯溜するウォーターパンと、
該ウォーターパンに脱着自在に装着されるケーシング部の内部に、含塵エアを吸引するとともにセパレータによって水が分離されたエアを外部に排気するための主ファン、および主ファンとセパレータとをモータシャフトに同軸に固定して一体的に回転駆動するモータが設けられた吸引部とを有する掃除機本体を備えた電気掃除機において、
前記セパレータが、周方向にスリット間隔をあけて多数本のリブが設けられた有底の篭状に形成され、
該セパレータの開口部に、前記セパレータと一体回転すべく前記モータシャフトに固定して装着され、前記セパレータとともに回転してセパレータの外面に向けて下向きに噴射エアを噴出する逆噴射フィンが設けられていることを特徴とする電気掃除機。
【請求項２】
前記逆噴射フィンが、フランジ部の周方向に、鋸歯状に形成されたフィンが複数設けられているものであることを特徴とする請求項１記載の電気掃除機。
【請求項３】
前記セパレータが、底部の中央部が中高となる形状に形成されているものであることを特徴とする請求項１記載の電気掃除機。
【請求項４】
前記セパレータが、外周側面に形成されたフランジの外周側面を逆噴射フィンの外側面と同位置まで延出したものであることを特徴とする請求項１または２記載の電気掃除機。
【請求項５】
前記ケーシング部が、隔壁により、主ファンが収納された下部室とモータが収納された上部室の上下２段に仕切られ、
前記主ファンがセパレータが配置されたウォーターパン室と連通してファンケースに収容されるとともに、ファンケースの外周側にファンケースの内部に連通して配置された排気室と、セパレータが配置されたウォーターパン室とが、ファンケースの下面側を覆うファンカバーによって仕切られていることを特徴とする請求項１、２３または４記載の電気掃除機。
【請求項６】
前記ケーシング部の後部に、前記排気室に連通して、排気室から排気されるエアをケーシング部の外部に取り出すアタッチメントが脱着可能に設けられていることを特徴とする請求項５記載の電気掃除機。
【発明の詳細な説明】
【０００１】
【発明の属する技術分野】
本発明は電気掃除機に関し、より詳細には水をフィルタとして塵埃を除去する機構を備えた電気掃除機に関する。
【０００２】
【従来の技術】
電気掃除機には吸い込みホースから吸引されたエアを水中に通し、水をフィルタとして塵埃を除去するように構成された製品がある。このような水を使用した電気掃除機は、吸い込みホースを接続する掃除機本体に、フィルタ用の水を貯溜するウォーターパンと、ウォーターパンに貯溜されている水を通して吸い込みホースからエアを吸引し、塵埃が除去されたエアを掃除機本体から外部に排出する吸引部とを備えた構成となっている。吸引部は、エアを吸引するための吸引用ファンと、ウォーターパン中の水を通過したエアから水を分離してエアのみを外部に排出するためのセパレータとを備えるものが一般的である（たとえば、特許文献１参照）。
【０００３】
【特許文献１】
特開平１１−３２９５０号公報
【０００４】
【発明が解決しようとする課題】
水をフィルタに使用して吸い込みエアから塵埃を除去する方法による電気掃除機は、塵埃を効率的に除去できるという利点があり、排出エアの清浄度が高いという特徴がある。しかしながら、吸い込みエアを水中に通して吸引することから、水に濾しとられてウォーターパンに溜まった塵埃が、エア中から水を分離するために使用されるセパレータに、汚れとして付着するという問題がある。セパレータは軸線方向に開口するスリット孔が、周方向に多数個設けられた篭状の部品であり、掃除機本体が駆動される際に、電動モータによって高速回転される。したがって、セパレータあるいはセパレータの回転軸に塵埃がたまることによって、セパレータの回転が円滑に行われず、セパレータがロックしてしまうということが起こり得る。
【０００５】
このようなセパレータのロックを防止する方法としては、掃除機本体内に外気を導入して、セパレータやセパレータが回転する近傍部分の隙間に付着した塵埃を除去することも考えられる。しかしながら、掃除機本体に導入する外気には塵埃が含まれていたりするから、セパレータに付着した汚れあるいは掃除機本体内に付着した汚れを除去する作用としては必ずしも十分とはいえない。
【０００６】
そこで、本発明はこれらの課題を解消すべくなされたものであり、その目的とするところは、掃除機本体に設けられているセパレータに塵埃が付着してセパレータがロックするといった課題を解消し、掃除機のメンテナンス作業を容易にして、より使いやすい電気掃除機を提供しようとするものである。
【０００７】
【課題を解決するための手段】
上記目的を達成するため、本発明は次の構成を備える。
すなわち、含塵エアから塵埃を除去するための水を貯溜するウォーターパンと、該ウォーターパンに脱着自在に装着されるケーシング部の内部に、含塵エアを吸引するとともにセパレータによって水が分離されたエアを外部に排気するための主ファン、および主ファンとセパレータとをモータシャフトに同軸に固定して一体的に回転駆動するモータが設けられた吸引部とを有する掃除機本体を備えた電気掃除機において、前記セパレータが、周方向にスリット間隔をあけて多数本のリブが設けられた有底の篭状に形成され、該セパレータの開口部に、前記セパレータと一体回転すべく前記モータシャフトに固定して装着され、前記セパレータとともに回転してセパレータの外面に向けて下向きに噴射エアを噴出する逆噴射フィンが設けられていることを特徴とする。
【０００８】
また、前記逆噴射フィンが、フランジ部の周方向に、鋸歯状に形成されたフィンが複数設けられているものであること、また、前記セパレータが、底部の中央部が中高となる形状に形成されているものであること、また、前記セパレータが、外周側面に形成されたフランジの外周側面を逆噴射フィンの外側面と同位置まで延出したものであることを特徴とする。
【０００９】
また、前記ケーシング部が、隔壁により、主ファンが収納された下部室とモータが収納された上部室の上下２段に仕切られ、前記主ファンがセパレータが配置されたウォーターパン室と連通してファンケースに収容されるとともに、ファンケースの外周側にファンケースの内部に連通して配置された排気室と、セパレータが配置されたウォーターパン室とが、ファンケースの下面側を覆うファンカバーによって仕切られていることを特徴とする。
また、前記ケーシング部の後部に、前記排気室に連通して、排気室から排気されるエアをケーシング部の外部に取り出すアタッチメントが脱着可能に設けられていることを特徴とする。
【００１０】
【発明の実施の形態】
以下、本発明の好適な実施の形態について図面とともに詳細に説明する。
図１は本発明に係る電気掃除機の全体構成を示す説明図である。同図で１０が電気掃除機の掃除機本体、１２が掃除機本体１０の底部側に設けられたウォーターパン、１４がウォーターパン１２の上部に取り付けられた吸引部である。
ウォーターパン１２は吸い込みエアから塵埃を除去する水を収容するためのものであり、吸引部１４はウォーターパン１２に塵埃を含んだエアを吸引し、塵埃を除去した後、エアを掃除機本体１０から外部に排出するためのものである。
【００１１】
なお、ウォーターパン１２と吸引部１４とは脱着自在に設けられており、ウォーターパン１２に吸引部１４をのせた状態でロック機構１６により吸引部１４とウォーターパン１２とが相互にエアシールして固定される。含塵エアは掃除機本体１０内に設けられた主ファンにより掃除機本体１０に吸引されるから、掃除機本体１０を外部からエアシールする必要があるからである。
【００１２】
１８は掃除機本体１０に脱着自在に接続される連結ホースであり、２０は連結ホース１８の先側側に接続された吸い込みパイプである。吸い込みパイプ２０の先端部には吸い込みヘッド２２が取り付けられており、吸い込みパイプ２０の基端部に設けられたハンドル２４により吸い込みパイプ２０が操作されて吸い込みヘッド２２から含塵エアが掃除機本体１０に吸引される。ハンドル２４の近傍には操作スイッチが設けられ、操作スイッチと掃除機本体１０に内蔵された電動モータとは連結ホース１８の外周囲に螺旋状に巻回された配線を介して電気的に接続され、操作スイッチの操作によって吸引機構が制御される。
【００１３】
図２に本実施形態の電気掃除機において特徴的な掃除機本体１０の内部構成を示す。３０は吸引部１４のケーシング部であり、３１はケーシング部３０の下端縁に設けられた嵌合溝である。ウォーターパン１２は上端縁でこの嵌合溝３１に脱着自在に嵌合する。
３２はケーシング部３０の前面の下部に設けられた連結ダクトである。連結ダクト３２には連結ホース１８が脱着自在に装着される。連結ダクト３２は、含塵エアがウォーターパン１２に向けて送入されるように、ケーシング部３０の内部で、ウォーターパン１２に向かう下向きに屈曲して延出するように設けられている。
【００１４】
連結ホース１８は、連結ダクト３２にその基端部を差し込むことによって掃除機本体１０の吸引機構と連結ホース１８に設けられた配線とが電気的に接続される。図３に連結ダクト３２と連結ホース１８との連結部を拡大して示す。３４が連結ホース１８に設けられた差し込みピンが挿入される接続端子である。接続端子３４は２枚の弾性平板をコの字状に折曲し、開放端側から差し込みピンを挿抜して電気的接続がなされるように形成されている。
３６は連結ホース１８が連結ダクト３２に連結されていない際に、接続端子３４に水が付着しないようにシールするためのシャッターである。シャッター３６は、連結ダクト３２の軸線方向からみてアーチ状に形成され、連結ダクト３２の軸線方向に垂直となる方向にスライド自在に取り付けられている。３８はシャッター３６の内周部が、常時、連結ダクト３２の内周側に突出するように付勢して設けられたスプリングである。
【００１５】
シャッター３６は内周側の先端が平板部３６ａに形成され、中途部がテーパ部３６ｂに形成されている。平板部３６ａは突出位置で接続端子３４を閉止して接続端子３４に水が付着することを防止し、退避位置で接続端子３４が開放するように設けられている。テーパ部３６ｂは、連結ホース１８を連結ダクト３２に挿入した際に、連結ホース１８の管体がテーパ部３６ｂに当接してシャッター３６を外方に押動する作用をなし、連結ホース１８の押し込み操作とともに、シャッター３６が退避位置に移動し、接続端子３４が開放して連結ホース１８の差し込みピンと接続端子３４とが接続される。
【００１６】
連結ホース１８の外周面には、連結ダクト３２の内周面との間をシールするシールが周設されており、連結ホース１８を連結ダクド３２に連結した状態で接続端子３４に水が侵入することが防止されている。また、連結ホース１８を連結ダクト３２から引き抜くと、スプリング３８の作用によってシャッター３６が閉止位置まで移動し、接続端子３４を遮蔽して接続端子３４に水が付着することを防止するように作用する。
【００１７】
図２において、４０は吸引部１４の下部にウォーターパン１２に向けて配置されたセパレータである。セパレータ４０は軸線の回りで高速回転することにより、ウォーターパン１２に収容された水を通過した含水エアから水を分離し、エア（気体）のみを上方に通過させる作用をなす。
セパレータ４０は軸線と同方向に開口するスリットが側面に多数個設けられた篭状の部材であり、スリット間隔をあけて多数本のリブが周方向に配置されて形成されている。セパレータ４０が軸線の回りで高速回転することにより、セパレータ４０の側面に設けられたリブがエアに含まれている水を跳ね飛ばし、エアのみがリブの間のスリット部を通過して上方へ通過する。
【００１８】
４２はセパレータ４０の上部の開口部に蓋をするように設けた逆噴射フィンである。逆噴射フィン４２はセパレータ４０と一体に回転可能に設けられるとともに、上面に開口部が設けられてセパレータ４０に流入したエアが開口部から上方に抜けるように形成されている。
４４はセパレータ４０および逆噴射フィン４２が固定されているモータシャフトである。このモータシャフト４４は、吸引部１４の略中央部に配置されたモータのロータに直結して設けられており、ロータとともに回転する。４６はモータを収容しているモータケースである。
【００１９】
４８はモータを収容しているモータケース４６とセパレータ４０との中間に配置されているファンケースである。このファンケース４８の内部にはモータシャフト４４に連結されてモータのロータとともに一体回転する主ファンが配置されている。セパレータ４０とファンケース４８とはファンケース４８の下面で連通し、主ファンが高速回転することによりウォーターパン１２側からセパレータ４０を通過したエアがファンケース４８内に導入される。５１はファンケース４８の上部側の周側面に設けられた整流部である。整流部５１はファンケース４８の壁面に多数個の開口を設け、各々の開口部に、径方向にエアを吹き出す静翼を設けたものである。ファンケース４８内に流入したエアはこの整流部５１からファンケース４８の外側に設けられている排気室４７に流入し、排気室４７の側面で排気室４７に連通して開口する排気スリット（図１の４７ａ）から排気される。
排気スリット４７ａはケーシング部３０の両側面に細長く開口して設けられている。
【００２０】
５０は吸引部１４の内部空間を上下２段に仕切る隔壁である。主ファン４９およびセパレータ４０等のエアの吸引機構は隔壁５０によって仕切られた下部室に配置され、前記モータ、モータケース４６、制御部等は隔壁５０によって仕切られた上部室に配置されている。隔壁５０によって下部室と上部室とを分離することにより、モータや制御部が収容された上部室に水が侵入することを確実に防止することができ掃除機本体１０の安全性が図られている。
【００２１】
５２は掃除機本体１０の後部に開閉可能に設けられた外扉、５３はその内側に設けられている中扉である。外扉５２および中扉５３はともに隔壁５０の下側で排気室４７に連通して設けられている。外扉５２および中扉５３はともに内向きに開閉する扉であり、常時は外向きに付勢されて開口部を遮蔽するように設けられている。外扉５２と中扉５３を二重に設けることにより、常時は排気スリット４７ａから排気されて静音化が図られている。この外扉５２と中扉５３は排気室４７からの排気を乾燥用に利用するといった際に使用される。すなわち、掃除機本体１０の後部の、外扉５２と中扉５３の位置に、接続用の管体を備えたアタッチメントを挿入することによって、外扉５２と中扉５３が内向きに開き、排気室４７とアタッチメント側とが連通して排気室４７に排気されたエアをアタッチメント側に取り出すことができる。
【００２２】
排気室４７から排気されるエアは、ウォーターパン１２によって塵埃が取り除かれ、セパレータ４０によって水分が除去されることにより、乾燥された清浄エアとなっている。したがって、外扉５２と中扉５３にアタッチメントを取り付けて外部に取り出すことにより、布団の乾燥等に利用することができる。外扉５２と中扉５３はこのように排気室４７から排気エアを取り出すことができるように設けられているものである。
【００２３】
ファンケース４８とセパレータ４０との間のシールは、ファンケースカバー５４、吊り下げパッキン５６およびウォーターシール５８によってなされている。
ファンケースカバー５４はファンケース４８の外面を被覆するように設けられ、吊り下げパッキン５６は排気室４７とウォーターパン室とを仕切るように設けられている。ウォーターシール５８は、ウォーターパン１２に吸引部１４をセットした際に、ウォーターパン１２の上部の開口部に設けたフランジが当接する部位であり、これによってウォーターパン室が外部からシールされ、ウォーターパン１２に収容されている水を通過した含水エアがセパレータ４０に向けて吸引されるように設けられている。
【００２４】
一方、モータ等が配置される上部室ではロータの下側にモータシャフト４４に固定してプロペラファン６０が設けられている。このプロペラファン６０は上部室内でエア流を生じさせモータを冷却する作用をなすためのものである。６２は上部室に設けた排気ダクトである。６４はモータが配置されているモータケース４６に設けられた風穴であり、プロペラファン６０によって起こされたエア流は、モータを冷却した後、風穴６４から排気ダクト６２に流入し、上部排気口６６から外部に排気される。上部排気口６６もケーシング部３０の側面にスリット状に開口して設けられている。
【００２５】
図２に示すように、掃除機本体１０の下部室では、主ファンによって生じたエア流により、連結ダクト３２からウォーターパン１２に含塵エアが吸引され、ウォーターパン１２に貯溜された水を通過した含塵エアは、塵埃が除去された後、セパレータ４０によって水とエアが分離され、セパレータ４０を通過したエアがファンケース４８に吸い込まれ、整流部５１から排気室４７へ排気され、ケーシング部３０の側面から排気される。または、外扉５２の位置にアタッチメントを取り付けることによって中扉５３、外扉５２を経由して外部に取り出される。図２で、曲線の矢印がエアの流れを示している。
一方、掃除機本体１０の上部室では、プロペラファン６０が回転することによって、排気ダクト６２に向かう上昇流が生じ、図の曲線の矢印で示すエア流が生じている。
【００２６】
図４は、本実施形態において特徴的な構成部分であるセパレータ４０、逆噴射フィン４２およびファンケースカバー５４、吊り下げパッキン５６、ウォーターシール５８等の構成部分を拡大して示したものである。なお、ファンケース４８の内部には、上下に２段に主ファン４９が配置されている。
上述したように、セパレータ４０は周方向に多数本のリブを配置した篭状に形成されている。図５（ａ）および（ｂ）はセパレータ４０の側面図および断面図である。４０ａがリブ、４０ｂがスリット孔である。セパレータ４０は外形形状で、下方が若干縮径する形態に設けられている。セパレータ４０は図５（ｂ）に示すように、シャフト取り付け孔４０ｄを除いて底部４０ｃが閉止された形状に形成されており、シャフト取り付け孔４０ｄにモータシャフト４４を挿通し、セパレータ４０をモータシャフト４４に固定することによってセパレータ４０の底部が完全に閉止された状態になる。
本実施形態のセパレータ４０は、図５（ｂ）に示すように、セパレータ４０の底部４０ｃを中央部が中高となる形状に形成されている。このように、セパレータ４０の底部４０ｃが中央部で内側に膨出する形状としたことにより、モータシャフト４４の長さを短くすることができ、セパレータ４０の強度を向上させることが可能となる。
【００２７】
セパレータ４０の上部開口部を覆うように設けられる逆噴射フィン４２は、セパレータ４０と、ファンケースカバー５４、吊り下げパッキン５６、ウォーターシール５８等との間に付着する塵埃を除去するために設けられている。
ウォーターパン１２に導入された含塵エアはウォーターパン１２に貯溜されている水によって塵埃が除去されるが、主ファン４９のエア流により、セパレータ４０に向かって水とともにエアが吸い込まれるから、このときに水に含まれている塵埃もセパレータ４０に向けて飛散する。これによってセパレータ４０の外面に塵埃が付着するが、セパレータ４０の上端部は吊り下げパッキン５６およびウォーターシール５８に近接して配置されているから、セパレータ４０の上端部に塵埃が付着して固着したりすると、セパレータ４０が円滑に回転しなくなり、場合によってはセパレータ４０がロックする。
【００２８】
図４に示すように、逆噴射フィン４２はセパレータ４０の上部を覆うように設けるとともに、ファンケースカバー５４に設けた溝に、外周縁に設けられたフランジ部４２ａが入り込むようにして取り付けられている。
セパレータ４０はウォーターパン１２から吸い上げられてくる水を含んだエアから水を分離させるためのものであるから、水を含んだエアは必ずセパレータ４０を通過してファンケース４８に流入させる必要がある。逆噴射フィン４２のフランジ部４２ａをファンケースカバー５４に設けた溝に摺入させているのは、セパレータ４０を通過せずにセパレータ４０の上部側からセパレータ４０の内部にエアが侵入しないようにシールするためである。したがって、逆噴射フィン４２とファンケースカバー５４との間隔はかなり狭く設定されているのであるが、このためにこの狭い隙間部分に汚水が入って塵埃がたまりやすいという問題が生じることになる。
【００２９】
図６（ａ）および（ｂ）は、逆噴射フィン４２の平面図および側面図を示す。図６（ａ）に示すように、逆噴射フィン４２は円形の皿状に形成された部材であり、周縁部にフランジ部４２ａが形成されるとともに、フランジ部４２ａの内側に開口部４２ｂが設けられている。この開口部４２ｂはスリット孔４０ｂからセパレータ４０の内部に流入したエアをファンケース４８へ通過させる通過孔となる。図６（ｂ）に示すように、逆噴射フィン４２のフランジ部４２ａの外側面には、鋸歯状に形成されたフィン４２ｃが周方向に複数形成され、逆噴射フィン４２が回転することによって下向きのエア流が生じるように設けられている。
【００３０】
逆噴射フィン４２はセパレータ４０とともに一方向に高速回転するから、セパレータ４０の回転とともに、フィン４２ｃの作用によって下向きのエア流が生じ、このエアの噴射によりセパレータ４０から上方に侵入しようとする汚水を押し下げ、セパレータ４０の外面に塵埃が付着することを防止する作用をなす。
この噴射エアによって汚水が主ファン４９が配置された排気室側に侵入しないようにし、セパレータ４０に塵埃が付着しないようにする作用は、主ファン４９が配置されている排気室からセパレータ４０等が配置されているウォーターパン室へエアが侵入する作用とともにセパレータ４０の近傍に塵埃が付着する作用をなす。
【００３１】
主ファン４９が配置されている排気室とウォーターパン室の圧力を比較すると、排気室の方がウォーターパン室と比較してはるかに圧力が高くなっている。したがって、掃除機本体１０を作動させた際には、排気室からウォーターパン室へわずかずつエアが進入する。図４で曲線の矢印Ａは、排気室からファンケースカバー５４とファンケース４８の外面との隙間を通って、ウォーターパン室へエアが進入する様子を示している。この排気室からウォーターパン室へ進入するエアは、すでに塵埃が除去された清浄エアであり、セパレータ４０あるいは逆噴射フィン４２あるいは微小な隙間に付着する塵埃を押し出して除去するように作用する。
【００３２】
図７は、セパレータ４０に塵埃を付着しないようにする他の実施形態を示す。
図７に示すセパレータ４０はセパレータ４０の上部に設けられているフランジ４０ｅの幅を広くして、フランジ４０ｅの外周側面と吊り下げパッキン５６との離間間隔を狭くした実施形態を示す。このように、フランジ４０ｅと吊り下げパッキン５６との間隔を狭くすることにより、汚水が逆噴射フィン４２に向けて進入しにくくするとともに、逆噴射フィン４２による噴射エアが狭い隙間部分から吹き出されることにより、吹き出し作用が有効に機能し、セパレータ４０に塵埃が付着することを効果的に防止することが可能になる。
また、セパレータ４０のフランジ４０ｅを幅広に形成することによって、ファンケースカバー５４の内周縁部５４ａの内径よりもフランジ４０ｅの外径が径大となり、排気室からウォーターパン室へ進入するエア路が屈曲形状となり、ウォーターパン室から排気室へ汚水が進入することを、さらに確実に防止するという作用もある。
【００３３】
また、図７に示す実施形態においては、ウォーターパン１２の上部開口部１２ａの径寸法をできるだけ小径とし、ウォーターシール５８の内周縁の近傍位置でウォーターパン１２の上部開口部１２ａが当接するようにしている。このように、ウォーターパン１２の上部開口部１２ａの内周径をできるだけ小径にすることにより、汚水がセパレータ４０以外にあたりにくくすることができ、排気室側へ汚水が侵入することを効果的に防止することが可能になる。
【００３４】
以上説明したように、本実施形態の電気掃除機によれば、セパレータ４０に逆噴射フィン４２を一体回転するように設けたことによって、逆噴射フィン４２による噴射エアによってセパレータ４０の外面に塵埃が付着することを好適に防止することができ、セパレータ４０とファンケースカバー５４、吊り下げパッキン５６等との隙間部分に塵埃が付着するといったことを防止して、セパレータ４０が回りにくくなったり、ロックしたりすることを防止することが可能となる。セパレータ４０の近傍部分を清掃したりする作業はやっかいであるが、本実施形態の電気掃除機であれば、セパレータ４０の外面に塵埃が付着することが防止できることから、メンテナンス作業が容易になり、使いやすい電気掃除機として提供できる等の利点がある。
【００３５】
【発明の効果】
本発明に係る電気掃除機によれば、上述したように、セパレータに逆噴射フィンを取り付けた構成としたことにより、セパレータの外面に塵埃が付着することを防止し、セパレータが円滑に回らなくなったり、ロックしたりすることを防止し、使いやすく、かつメンテナンスの容易な電気掃除機として提供することができる等の著効を奏する。
【図面の簡単な説明】
【図１】本発明に係る電気掃除機の全体構成を示す説明図である。
【図２】掃除機本体の内部構成を示す説明図である。
【図３】連結ダクトと連結ホースとの連結部の構成を示す説明図である。
【図４】セパレータおよび逆噴射フィン等の構成を示す説明図である。
【図５】セパレータの正面図および断面図である。
【図６】逆噴射フィンの平面図および側面図である。
【図７】セパレータおよび逆噴射フィン等の他の構成例を示す説明図である。
【符号の説明】
１０  掃除機本体
１２  ウォーターパン
１２ａ  上部開口部
１４  吸引部
１８  連結ホース
２０  吸い込みパイプ
２２  吸い込みヘッド
３０  ケーシング部
３２  連結ダクト
３４  接続端子
３８  シャッター
４０  セパレータ
４０ａ  リブ
４０ｂ  スリット孔
４０ｅ  フランジ
４２  逆噴射フィン
４２ａ  フランジ部
４２ｂ  開口部
４２ｃ  フィン
４４  モータシャフト
４６  モータケース
４７  排気室
４７ａ  排気スリット
４８  ファンケース
４９  主ファン
５０  隔壁
５２  外扉
５３  中扉
５４  ファンケースカバー
５６  吊り下げパッキン
５８  ウォーターシール
６０  プロペラファン
６２  排気ダクト
６４  風穴
６６  上部排気口
【図１】
2004180941.tif 000003
【図２】
2004180941.tif 000004
【図３】
2004180941.tif 000005
【図４】
2004180941.tif 000006
【図５】
2004180941.tif 000007
【図６】
2004180941.tif 000008
【図７】
2004180941.tif 000009